(57)【特許請求の範囲】
【請求項１】
サーバと複数のクライアント端末とが通信ネットワークを介して相互にデータを送受信可能に接続されていると共に、ページ毎にコマ割によって分割されたコマに商品情報を掲載する掲載位置が割付けられるカタログページを作成するためのカタログ掲載位置割付システムであって、
前記サーバには、
コマ割によって分割されたコマのページ毎のレイアウトをページレイアウト雛形として記憶するページレイアウト雛形記憶手段と、商品に関する情報を記述する商品文字データが格納されている商品文字蓄積手段と、商品に関する画像を表わす商品画像データが格納されている商品画像蓄積手段と、所定の商品について、商品文字データ及び商品画像データのうち少なくとも前者を含む商品情報を掲載する、カタログのページ及びページ内の各コマ位置に割付けた掲載位置情報が格納されている掲載位置蓄積手段とが備えられ、
前記端末には、
ページ毎にコマ数を指定して、コマ割によって分割されたコマのレイアウトからなるページレイアウト雛形を作成して前記ページレイアウト雛形記憶手段に登録するページレイアウト雛形登録手段と、所望の商品について、前記商品文字蓄積手段を検索して商品文字データを読み出す検索手段と、読み出された商品文字データに、必要に応じて前記商品画像蓄積手段に格納されている商品画像データをリンクさせた商品情報を、前記ページレイアウト雛形登録手段から読み出したページレイアウト雛形で構成される掲載するページとページ内コマ位置に割付けた掲載位置情報を前記掲載位置蓄積手段に保存する保存手段と、保存されている掲載位置情報を読み出して商品情報が登録されていないコマと商品情報が登録されているコマとを、両者を判別できる形態でページ毎に一覧で画面上に表示する一覧表示手段と、全ページについて全コマに商品情報が登録された掲載位置情報をカタログ用データとして出力する出力手段とが、アプリケーションソフトにより実現されていることを特徴とするカタログ掲載位置割付システム。
【請求項２】
前記掲載位置蓄積手段が、保存された掲載位置情報をカタログ毎に履歴情報として蓄積可能であり、前記保存手段により商品情報を割付ける際に、該履歴情報を検索し、読み出して利用可能であることを特徴とする請求項１に記載のカタログ掲載位置割付システム。
【発明の詳細な説明】
【０００１】
【発明が属する技術分野】
本発明は、カタログ掲載位置割付システム、特に所望のカタログを効率良く作成する際に適用して好適なカタログ掲載位置割付システムに関する。
【０００２】
【従来の技術】
一般に、通信販売を行っている企業等がカタログを製作する場合、商品のスペック等の情報を記述する文字データを含み、且つ、必要に応じてその外観等を表わす画像データを含む商品情報を、所定のページに割り付ける台割や、台割されたページ内の所定位置に割り付けるコマ割と言われる作業は、手作業によって行われている。即ち、例えば、前号等の過去のカタログに掲載済みの商品情報を、次に製作するカタログに流用する場合は、流用元のカタログの該当箇所を人手により切貼りしたり、コピーしたりする等の手作業が行われていた。
【０００３】
【発明が解決しようとする課題】
しかしながら、前記の如く商品情報の割付を切貼り等の手作業で行う場合には、作業者の負荷が大きく、しかも作業ミスが生じ易いという問題があった。
【０００４】
本発明は、前記従来の問題点を解決するべくなされたもので、カタログを製作する際、作業者の負荷を大幅に軽減することができると共に、作業ミスを減少させることができるカタログ掲載位置割付システムを提供することを課題とする。
【０００５】
【課題を解決するための手段】
本発明は、サーバと複数のクライアント端末とが通信ネットワークを介して相互にデータを送受信可能に接続されていると共に、ページ毎にコマ割によって分割されたコマに商品情報を掲載する掲載位置が割付けられるカタログページを作成するためのカタログ掲載位置割付システムであって、前記サーバには、コマ割によって分割されたコマのページ毎のレイアウトをページレイアウト雛形として記憶するページレイアウト雛形記憶手段と、商品に関する情報を記述する商品文字データが格納されている商品文字蓄積手段と、商品に関する画像を表わす商品画像データが格納されている商品画像蓄積手段と、所定の商品について、商品文字データ及び商品画像データのうち少なくとも前者を含む商品情報を掲載する、カタログのページ及びページ内の各コマ位置に割付けた掲載位置情報が格納されている掲載位置蓄積手段とが備えられ、前記端末には、ページ毎にコマ数を指定して、コマ割によって分割されたコマのレイアウトからなるページレイアウト雛形を作成して前記ページレイアウト雛形記憶手段に登録するページレイアウト雛形登録手段と、所望の商品について、前記商品文字蓄積手段を検索して商品文字データを読み出す検索手段と、読み出された商品文字データに、必要に応じて前記商品画像蓄積手段に格納されている商品画像データをリンクさせた商品情報を、前記ページレイアウト雛形登録手段から読み出したページレイアウト雛形で構成される掲載するページとページ内コマ位置に割付けた掲載位置情報を前記掲載位置蓄積手段に保存する保存手段と、保存されている掲載位置情報を読み出して商品情報が登録されていないコマと商品情報が登録されているコマとを、両者を判別できる形態でページ毎に一覧で画面上に表示する一覧表示手段と、全ページについて全コマに商品情報が登録された掲載位置情報をカタログ用データとして出力する出力手段とが、アプリケーションソフトにより実現された構成としたことにより、前記課題を解決したものである。
【０００６】
即ち、本発明においては、カタログ製作時に作業者が商品情報の割付作業を行う際、端末上でインターネット等の通信ネットワークを介してサーバにアクセスし、商品文字蓄積手段から読み出した商品文字データと、必要に応じてリンクさせた商品画像蓄積手段から読み出した該当する商品画像データとからなる商品情報を、掲載するページとページ内位置に割付け（対応付け）た掲載位置情報を掲載位置蓄積手段に格納すると共に、該掲載位置格納手段から商品情報と該当する掲載位置情報とをカタログ作成用データとして前記端末上に読み出すことができるようにした。その結果、商品文字データ、商品画像データ、掲載位置情報をサーバ側で一元管理し、端末上で簡易にコマ割指定（割付作業）を行うことが可能となり、作業者を過去の商品情報を切貼りする等の手作業から解放することが可能となり、しかも作業ミスを減少することが可能となる。
【０００７】
【発明の実施の形態】
以下、図面を参照して、本発明の実施の形態について詳細に説明する。
【０００８】
図１は、本発明に係るカタログ掲載位置割付システムの概略を示すブロック図である。
【０００９】
本実施形態のカタログ掲載位置割付システムは、サーバ１０とクライアント端末２０とがインターネットやＬＡＮ等の通信ネットワークＮＷを介して相互にデータの送受信が可能に接続されている。
【００１０】
そして、前記サーバ１０には、商品に関する情報を記述する商品文字データが格納されている商品文字データベース（商品文字蓄積手段）Ｄと、商品に関する画像を表わす商品画像データが格納されている商品画像データベース（商品画像蓄積手段）Ｅと、所定の商品について商品文字データ及び商品画像データの少なくとも前者を含む商品情報を掲載する、カタログのページ（台割）及びページ内位置（コマ割）に割付けた掲載位置情報が格納されているコマ割・台割データベース（掲載位置蓄積手段）Ｇとが備えられている。
【００１１】
又、前記クライアント端末２０には、後に詳述するコマ割指定作業を行うために、所望の商品について、前記商品文字データベースＤを検索して商品文字データを読み出す文字データ検索手段Ｌと、読み出された商品文字データを含み、且つ、必要に応じて前記商品画像データベースＥに格納されている商品画像データをリンクさせた商品情報を、掲載するカタログのページとページ内位置に割付け（対応付け）たコマ割指定データ（掲載位置情報）を、前記サーバ１０側に送信して前記コマ割・台割データベースＧに保存するコマ割指定手段（保存手段）Ｐと共に、該データベースＧから保存されているコマ割指定データを読み出してカタログ用データとして出力するカタログデータ出力手段Ｑとが、アプリケーションソフトにより実現されている。又、前記コマ割・台割データベースＧには、保存されたコマ割指定データをカタログ毎に履歴情報として蓄積することができるようになっていると共に、前記サーバ１０側で、商品情報を所定の掲載位置に割付ける際に、該履歴情報を一部又は全部をコピーする等により利用することが可能となっている。
【００１２】
従って、本実施形態では、前記サーバ１０側の商品文字データベースＤ、商品画像データベースＥには、カタログに掲載する商品情報を構成するデータを格納することができると共に、クライアント端末２０から後述する文字データ入出力手段Ｋにより予め登録し、蓄積しておくことができる機能を有している。又、クライアント側では、それらの商品情報から端末２０の前記文字データ検索手段Ｌによる検索機能等を利用し、特定の商品情報を引き出し、前記コマ割指定手段Ｐのコマ割指定機能により任意のページ、任意のコマ位置に所望の商品情報を配置（台割、コマ割）することができる。
【００１３】
又、このように配置した情報（コマ割指定データ）は、コマ割・台割データベースＧに格納することができると共に、任意にコマ割指定画面（後述する）に呼び出すことができる。又、格納されていた前号等の過去のコマ割指定データをカタログ毎に履歴情報として蓄積しておくことにより、そのデータを今回のコマ割作業に利用することができる。又、最終的に確定したコマ割指定データは、商品情報と共に、カタログに掲載される元データとして、後述するカタログデータファイルＷに出力する機能を有している。
【００１４】
本実施形態のシステムは、以上の基本的な機能以外にも種々の機能（手段）を有しており、以下これらについて詳述する。
【００１５】
前記サーバ１０には、クライアント端末２０に対して提供し、各種の手段を実現するための前記アプリケーションソフトの最新版を保存する最新アプリケーションファイルＡと、後述する情報表示手段Ｈの画面上に表示する情報の表示エリアであるフィールドの配置位置を規定するコントロール位置の最新版を保存する最新コントロール位置データファイルＢと、該画面に表示する情報等の初期設定のためのデータを保存する初期情報設定ファイルＣとが設置されている。又、後に詳述する商品情報を配置し、掲載するページ内位置を規定するコマ割のパターンに当たるページレイアウト雛形を格納するページレイアウト雛形データベースＦも設置されている。
【００１６】
一方、クライアント側の前記端末２０には、各種情報等を画面上に表示する情報表示手段Ｈと、コマ割データを印刷するコマ割データ印刷手段が設置されていると共に、自動ファイル配信手段Ｉ、初期設定手段Ｊ、文字データ入出力手段Ｋ、画像データ入出力手段Ｍ，ページレイアウト雛形登録手段Ｎ、台割指定手段Ｏが、同様に前記最新のアプリケーションソフトによりそれぞれ実現されている。
【００１７】
前記自動ファイル配信手段Ｉは、最初に端末２０に格納されている本システムを構成するアプリケーションソフトを立ち上げることにより、サーバ１０側の最新アプリケーションファイルＡ及び最新コントロール位置データファイルＢに対してアクセスし、タイムスタンプを比較してファイル内容が更新されているか否かを判定し、更新されている場合には、最新のソフト及び位置データの配信を促し、自動的にクライアントのアプリケーションソフト及びコントロール位置データファイルＳをアップデートする機能を有している。
【００１８】
前記初期設定手段Ｊは、前記情報表示手段Ｈに最初に表示される各種情報表示画面におけるフィールド、例えばコマ内に表示するフィールド、コマ登録状況一覧（後述する）で表示するフィールド等を選択したり、前記カタログデータ出力手段Ｑにより出力されるカタログ用データにおけるフィールドの初期状態を設定したり、あるいは色違い商品等のように一つの商品名に対して複数の商品をコマに登録した時点での共通／個別スペックの設定機能（後述する）のデフォルトを設定したりする初期設定機能を有している。
【００１９】
前記文字データ入出力手段Ｋは、例えば官庁系等の基幹データベース等から取り込んで文字データファイルＴに保存されているカタログに使用する商品文字データを、サーバ１０側の前記商品文字データベースＤに読み込ませたり、該データベースＤから読み込んだりする機能を有している。
【００２０】
又、この文字データ入出力手段Ｋは、前記商品文字データベースＤのメンテナンス機能を有し、該データベースＤに対して商品文字データを登録したり、既に登録（格納）されているデータを更新したり、削除したりする機能を有している。この機能を使用する際には、入力画面として図２に一例を示すようなマスタメンテナンス画面を前記情報表示手段Ｈに表示させ、画面上で入力を行う。このマスタメンテナンス画面の画像や商品名等のフィールドの配置を設定するコントロール位置情報は、あるフォーマットで前記コントロール位置データファイルＳにローカルに、即ちクライアント側に保存されており、画面ロード時にそのファイルから自動的にコントロールが配置され、上記図２の画面が表示される。このコントロール位置情報は、前述した如く、前記自動ファイル配信手段Ｉにより常に最新版に更新され、その場合には図３にイメージを示すように新しい画面が表示される。又、この画面で商品文字データを登録する場合、その商品にぶら下がる（関係する）商品画像を商品画像データベースＥから選択し、関連付けると共に、関連付けたデータを文字データと画像データのリンクデータとして、前記商品文字データベースＤに含まれるリンクデータ記憶部（図示せず）に登録することができるようになっている。その際、一つの商品名について色違いやセット物のように複数の商品画像を関連付けることもできるようになっている。
【００２１】
ここに、改めて前記文字データ検索手段Ｌの検索・抽出機能を具体的に説明すると、商品文字データベースＤの各フィールドで検索条件を指定することにより特定の商品の文字データに絞り込むことができ、その際複数条件（ＡＮＤ、ＯＲ）を指定することにより検索する機能も有している。例えば、「（商品コードが１０００以下かつ商品名に肉を含む）または商品名に魚を含む」商品を検索することができる。
【００２２】
又、この文字データ検索手段Ｌは、外部テキストファイルからの検索機能をも有している。これは、検索用のテキストファイルＵにリストアップされた商品名や商品コードからなるキーフィールドデータが既に作成されて保存されている場合、そのリストアップされたデータに従い、例えば、前記情報表示手段Ｈに表示される図４の画面のエリアＩに示す商品情報一覧リストと実質的に同一の検索結果の画面に一覧表示する機能である。
【００２３】
次いで、便宜上、前記コマ割指定手段Ｐの機能を、図４のエリアIIに示す商品情報のコマ登録画面（コマ割画面）を参照して、先に説明する。
【００２４】
この画面のエリアIIの内側にある複数の矩形はカタログ１ページ分のコマ（掲載位置）のレイアウト（ページレイアウト）である。このコマ割指定手段Ｐは、このようなページレイアウト（コマ割）を作成するために、各ページに対して、コマ数を（縦の分割数）×（横の分割数）で指定し、大きさの単位となる基本コマを設定する機能を有していると共に、隣り合った複数のコマを選択し、結合することにより大コマを作成するコマの結合機能や、結合した大コマに対してその結合を解除し、基本のコマに戻す解除機能とを有している。
【００２５】
このように、任意のページに対してコマ数、サイズ等を指定し、コマ結合等を行って作成した種々のページレイアウトは、前記ページレイアウト雛形登録手段Ｎにより前記ページレイアウト雛形データベースＦに雛形として登録することができると共に、他のページに対しても同一の雛形を即時割付ける機能をも有している。又、このページレイアウト雛形登録手段Ｎは、前記データベースＦに登録したページレイアウト雛形の削除を行う機能や、同雛形の編集を行う機能を有している。この削除や編集を行う際に、そのページレイアウト雛形に既に商品が登録されている場合は警告が表示され、不用意にデータが消失されないするようにもなっている。又、登録したページレイアウト雛形を、図４に示した画面上のページレイアウトパレット内の雛形表示エリアに、サムネールとして一覧表示する機能を有している。但し、ここには９コマ大Ａ、Ｂ、Ｃの３種類の雛形の例が表示されている。
【００２６】
前記台割指定手段Ｏは、ページ単位でページレイアウト雛形のパターンを指定し、台割（ページレイアウト雛形の各ページに対する割付）を作成し、それを前記コマ割・台割データベースＧに登録する機能を有している。台割後のページの入替機能も有しており、又、台割後の雛形の順番を、前記図４の画面上のページレイアウトパレットに表示する機能を有し、必要に応じこのページレイアウトパレットの表示と非表示を切り換える機能も有している。このパレットで１〜１２の数字はカタログのページ数を表わす。
【００２７】
便宜上、再度前記コマ割指定手段Ｐについて説明する。このコマ割指定手段Ｐは前述した機能の他に、以下の（ａ）〜（ｇ）の各機能を有している。
【００２８】
（ａ）ページレイアウト修正機能
この機能により、ページレイアウト雛形を任意のページに設定して台割を作成した後、特定ページのみを画面上に表示させ、ページレイアウトを修正できる。又、ページレイアウトを修正する場合、修正したページレイアウトを新たなページレイアウトの雛形として自動生成する機能を有し、それを前記ページレイアウト雛形登録手段ＮによりデータベースＦに登録することができるようになっている。
【００２９】
（ｂ）ページ呼び出し機能
台割作成後の特定ページを指定することにより、そのページを前記データベースＧから読み込み、前記情報表示手段Ｈの画面上に表示することができる。又、過去カタログの台割・コマ割のデータが履歴情報として前記コマ割・台割データベースＧに蓄積されている場合には、端末２０上でページ指定することにより、該データベースＧから指定ページを呼び出し、同様に表示することができる。図５のエリアＩは、このような履歴情報（過去カタログコマ割情報）の表示例を示したものである。
【００３０】
（ｃ）商品のコマへの登録機能
前記図４の画面上のエリアＩに示したような商品情報一覧リストから所望の商品（商品情報）を、ドラッグ＆ドロップにより所定のコマに登録（コマ登録）したり、前記図５の画面上のエリアＩに示すような過去カタログコマ割情報（データ）から同様に商品をコマ登録する機能を有している。
【００３１】
（ｄ）複数商品の１コマへの登録機能
過去データ又は商品リストから複数商品（例えば、セット物）を１コマに登録することができ、その際のコマ内商品の並び順を指定できる。又、例えば色違いの商品であれば、商品毎に画像の表示／非表示を設定できると共に、例えば商品名は一番目の赤色の食品についてのみカタログに表示し、価格は全色について個別に表示する等のように、スペックの共通表示／個別表示を設定できる。
【００３２】
（ｅ）共通画像の登録機能
この機能により、１コマに複数商品が登録された場合に、全商品に関連する共通の画像（例えば、仮にジャガイモとニンジンが商品であったとすると、カレーライスの画像）を別途登録することができる。
【００３３】
（ｆ）コマに登録されている商品の削除機能
コマを選択し、削除ボタンを押すかdeleteキーを押すことにより、コマから商品文字データ等を削除することができる。
【００３４】
（ｇ）過去カタログの一括コピー機能
過去カタログの台割・コマ割情報を、前記コマ割・台割データベースＧから読み込み、前述した如く、前記図５のエリアＩの過去カタログコマ割情報エリアに表示することができる。その際、同図に示したように、１コマずつドラッグ＆ドロップで登録することもできるが、コピー元ページに移動後、一括コピーボタンを押すことにより、今回のカタログの現在開いているページにそのページの全コマを一括して登録することもできる（図示せず）。
【００３５】
本実施形態について更に詳述すると、前記情報表示手段Ｈには、前記図４又は図５に画面例を示したように、コマに登録された商品の商品名、価格等について、予め設定しておいた基本的なフィールドデータを表示することができ、又、商品画像データが商品にリンクされて登録されている場合には、商品画像を表示することができるコマの各種情報表示機能を有している。
【００３６】
又、図６に示すようなコマ登録状況一覧を画面上に表示し、商品コード、商品名、価格等の予め設定された数フィールドのデータを表示することができると共に、商品未登録コマは、便宜上斜線を付して示したように、行に色が付く等、容易に判別ができるような表示機能を有し、しかも該当する行を選択し、ダブルクリック又はボタンをクリックする等により、その行に対応するコマ割画面のコマページに移動する機能を有している。
【００３７】
前記カタログデータ出力手段Ｑは、前述した如く、コマに登録した商品文字データを含む商品情報及び商品掲載位置情報をカタログ用データとして、そのデータファイルＷに出力する機能を有していると共に、その際には予め設定した商品名、価格等のフィールドのみを出力することができる。このカタログ用データは印刷工程に廻され、カタログの作成に用いられる。図７は、このカタログ用データの一例を示したものである。
【００３８】
又、前記コマ割データ印刷手段Ｒは、割付レイアウト全体の把握や、画面上では困難な校正作業などに用いられる。
【００３９】
次に、本実施形態の作用を、図８に示すフローチャートに従って説明する。
【００４０】
まず、クライアントは端末２０でシステムを動かすアプリケーションソフトを起動させると、サーバ１０に対してアクセスし、前記自動ファイル配信手段Ｌにより、最新のアプリケーションソフトと最新のコントロール位置データの自動配信を促し、更新されている場合にはダウンロードして保存する（ステップ２）。更新されていない場合は、既に保存されているものを使用する。
【００４１】
次いで、前記初期設定手段Ｊにより、前述した設定項目の中から必要なものについて初期設定を行い（ステップ４）、新たにレイアウト雛形を作成した場合は、前記ページレイアウト雛形登録手段ＮによりそのデータベースＦに登録し（ステップ６）、該データベースＦから必要なページレイアウト雛形を読み出して、前記コマ割指定手段Ｐにより目的とするカタログの各ページに所望のページレイアウト雛形を割り付けて台割を作成し（ステップ８）、必要があればページレイアウトの修正を行う（ステップ１０）。
【００４２】
以上のステップ２〜ステップ１０の操作とは別に、前記商品文字データベースＤに新たな商品文字データを登録する場合は、例えば前記文字データ入出力手段Ｋにより文字データファイルＴから文字データを読み込んで登録し、新たな商品画像データを登録する場合は、前記画像データ入出力手段ＭによりそのデータベースＥに登録する（ステップ１２）。
【００４３】
次いで、前記コマ割・台割データベースＧに登録されている、必要な修正が終了した台割データの中から必要なページを呼び出し（ステップ１４）、商品情報のコマ登録を行う。
【００４４】
その際、前記文字データ検索手段Ｌにより商品文字データベースＤにアクセスして所望の商品情報（画像データがリンクされているものを含む）を検索し（ステップ１６）、それを所定のコマに登録し、不要な部分があればそれを削除し（ステップ１８）、必要があれば前記コマ割指定手段Ｐにより共通画像を登録する（ステップ２０）。あるいは、前述した如く、コマ割・台割データベースＧに過去カタログのデータが格納されている場合には、前記コマ割指定手段Ｐにより該当する既存ページを呼び出し（ステップ２２）、その一部を利用したり、ページ全体を一括コピーして登録したりする（ステップ２４）。
【００４５】
次いで、前記図６に示したようなコマ登録状況の一覧を表示させ（ステップ２６）、全ページについて全コマに商品情報が登録されているか否かを確認し（ステップ２８）、登録されている場合には前記カタログデータ出力手段Ｑによりカタログ用データを出力し（ステップ３０）、本システムにおける割付作業を終了する。
【００４６】
以上詳述した本実施形態によれば、サーバ１０が備えているデータベースＤ、Ｅ、Ｇに商品文字データ、商品画像データ、掲載位置履歴情報等をそれぞれ格納し、カタログ作成に必要なデータをサーバ１０側に一元管理することにより、クライアントは端末２０上で簡単にコマ割指定を行うことができるようにしたので、カタログ製作時の作業負荷を大幅に軽減し、作業ミスを減少させることができた。
【００４７】
以上、本発明について具体的に説明したが、本発明は、前記実施形態に示したものに限られるものでなく、その要旨を逸脱しない範囲で種々変更可能である。
【００４８】
例えば、本発明に係るカタログ掲載位置割付システムの具体的な構成は、前記実施形態に示したものに限定されない。
【００４９】
【発明の効果】
以上説明したとおり、本発明によれば、カタログを製作する際、作業者の負荷を大幅に軽減でき、しかも作業ミスを減少させることができる。
【図面の簡単な説明】
【図１】本発明に係る一実施形態の割付システムの概略を示すブロック図
【図２】文字データメンテナンス画面の一例を示す説明図
【図３】文字データメンテナンス画面の他の一例を示す説明図
【図４】商品一覧からの商品情報のコマ登録画面を示す説明図
【図５】過去のカタログからの商品情報のコマ登録画面を示す説明図
【図６】コマ登録状況一覧画面の一例を示す説明図
【図７】カタログ用データの一例を示す説明図
【図８】実施形態の作用を示すフローチャート
【符号の説明】
Ｄ…商品文字データベース
Ｅ…商品画像データベース
Ｇ…コマ割・台割データベース
Ｌ…文字データ検索手段
Ｐ…コマ割指定手段
Ｑ…カタログデータ出力手段
【図１】
0004792635.tif 000002
【図２】
0004792635.tif 000003
【図３】
0004792635.tif 000004
【図４】
0004792635.tif 000005
【図５】
0004792635.tif 000006
【図６】
0004792635.tif 000007
【図７】
0004792635.tif 000008
【図８】
0004792635.tif 000009